(57)【特許請求の範囲】
【請求項１】
取手を備える本体ユニットと、複数のピン型ハケを備え本体ユニットに着脱可能な型取りユニットを備えるほうきであって、
前記ピン型ハケは、下側部分がハケ部、上側部分がピン部となっており、前記ハケ部と前記ピン部とは一体化されており、前記ピン部には上下方向に延びるレール用孔が設けられており、
前記型取りユニットは、前記複数のピン型ハケを挟んで対向する２枚のプレートを備え、前記２枚のプレートのいずれかに、前記ほうきの幅方向に延びるピン用レールが一体的に設けられており、
前記型取りユニットは、前記ピン型ハケの前記ピン部に設けられた前記レール用孔に前記ピン用レールを通すことによって、前記複数のピン型ハケを前記ほうきの幅方向略全長に亘って配置するとともに、前記複数のピン型ハケを上下方向に案内するレール機構と、前記２枚のプレート間において前記複数のピン型ハケの前記ピン部を挟持することによって、前記複数のピン型ハケを上下方向に移動不可に保持できる保持機構を備え、前記保持機構による前記複数のピン型ハケの保持状態を解除した状態で前記複数のピン型ハケの前記ハケ部下端を被掃除面に接触させることで、前記被掃除面の形状を転写可能であることを特徴とするほうき。
【請求項２】
対向する前記２枚のプレートの間隔が、前記２枚のプレート間に挟まれた前記複数のピン型ハケの前記ピン部の前記２枚のプレートの対向方向寸法よりも小さく設定されており、
両端が固定された前記２枚のプレートによって、前記複数のピン型ハケを上下方向に移動不可に保持できる前記保持機構が構成されている請求項１に記載のほうき。
【請求項３】
前記型取りユニットは、前記本体ユニットとの脱離状態において、前記保持機構による前記複数のピン型ハケの保持状態を解除または維持可能であり、前記本体ユニットへの装着状態において、前記保持機構による前記複数のピン型ハケの保持状態を解除不可である請求項１または２に記載のほうき。
【請求項４】
前記本体ユニットと前記型取りユニットの間に、前記型取りユニットが前後を誤った状態で前記本体ユニットに取り付けられることを防止するための誤取付防止機構が設けられている請求項１ないし３のいずれかに記載のほうき。
【発明の詳細な説明】
【技術分野】
【０００１】  本発明は掃除場所の形状に沿い、凸凹でも掃くことができるほうきに関する。
【背景技術】
【０００２】  従来のほうきは、持ち手とハケが固定されており、掃除場所が平面の場合は掃きやすいが、凹凸面である場合は掃き辛い。このような課題に対して、以下のようなほうきが提案されている。【０００３】  実登３０９８８６４号公報（特許文献１）に記載のほうきは、本体の箒に対して先端に小さな箒が付いており、この小さな箒が上下移動することで窓枠の溝などの掃除を可能にする。上下移動する小さな箒はナットでの固定が想定されており、前後の振動防止の為に磁石が併用されている。【０００４】  特開平４−０３０８２５号公報（特許文献２）に記載のほうきは、剛毛群が圧力板に挟まれることにより挟持されており、掃除場所に剛毛群を押し当てて形状を転写する。剛毛群は自重で下方に移動するようになっており、複数の蝶螺子を締め付けることによって固定される。
【先行技術文献】
【特許文献】
【０００５】
【特許文献１】実登３０９８８６４号公報
【特許文献２】特開平４−０３０８２５号公報
【発明の概要】
【発明が解決しようとする課題】
【０００６】  実登３０９８８６４号公報（特許文献１）に記載のほうきは、上下移動可能な小さな箒は先端にのみ設けられ、その形状は普通の物と変わりなく、ほうきは全体として縦面で使用することになるので、複数のレーン型の溝を備える床全体やランダムに凹凸のある場所などの掃除が難しい。また、上下移動する小さな箒はナットでの固定が想定されているので紛失する恐れがあり、前後の振動防止の為に併用される磁石により、ほうき全体の重量が上がってしまう。【０００７】  特開平４−０３０８２５号公報（特許文献２）に記載のほうきは、圧力板に挟持された剛毛群同士が干渉し、掃除場所の形状を転写し辛いことがある。また、剛毛群は自重で下方に移動するため、転写状態で複数の蝶螺子を締め付けてその状態を固定支持しなければならない。さらに、このほうきは、建物などの築造に特化しており、構造や使用手順が少し難解で一般向けでは無い。【０００８】  本発明は、形状を記憶出来る構造により、凹凸や連続した溝など様々な場所を一度で楽に掃くことの出来るほうきを提供することを目的とする。
【課題を解決するための手段】
【０００９】  上記課題を解決するほうきは以下のものである。
（１）  取手を備える本体ユニットと、複数のピン型ハケを備え本体ユニットに着脱可能な型取りユニットを備えるほうきであって、
ピン型ハケは、下側部分がハケ部、上側部分がピン部となっており、ハケ部とピン部とは一体化されており、ピン部には上下方向に延びるレール用孔が設けられており、
型取りユニットは、複数のピン型ハケを挟んで対向する２枚のプレートを備え、２枚のプレートのいずれかに、ほうきの幅方向に延びるピン用レールが一体的に設けられており、
型取りユニットは、ピン型ハケのピン部に設けられたレール用孔にピン用レールを通すことによって、複数のピン型ハケをほうきの幅方向略全長に亘って配置するとともに、複数のピン型ハケを上下方向に案内するレール機構と、２枚のプレート間において複数のピン型ハケのピン部を挟持することによって、複数のピン型ハケを上下方向に移動不可に保持できる保持機構を備え、保持機構による複数のピン型ハケの保持状態を解除した状態で複数のピン型ハケのハケ部下端を被掃除面に接触させることで、被掃除面の形状を転写可能であるほうき。【００１０】（２）  対向する２枚のプレートの間隔が、２枚のプレート間に挟まれた複数のピン型ハケのピン部の当該２枚のプレートの対向方向寸法よりも小さく設定されており、
両端が固定された２枚のプレートによって、複数のピン型ハケを上下方向に移動不可に保持できる保持機構が構成されている上記（１）に記載のほうき。
（３）  型取りユニットは、本体ユニットとの脱離状態において、保持機構による複数のピン型ハケの保持状態を解除または維持可能であり、本体ユニットへの装着状態において、保持機構による複数のピン型ハケの保持状態を解除不可である上記（１）または（２）のいずれかに記載のほうき。
（４）  本体ユニットと型取りユニットの間に、型取りユニットが前後を誤った状態で本体ユニットに取り付けられることを防止するための誤取付防止機構が設けられている上記（１）ないし（３）のいずれかに記載のほうき。
【発明の効果】
【００１１】  本発明のほうきは、取手を備える本体ユニットに着脱可能な型取りユニットにおいて、複数のピン型ハケを上下方向に案内するレール機構と、複数のピン型ハケを上下方向に移動不可に保持できる保持機構を備え、掃除場所（被掃除面）の形状を記憶出来る構造により、凹凸や連続した溝など様々な場所を一度で楽に掃くことが出来る。
【図面の簡単な説明】
【００１２】
【図１】本発明のほうきの実施例を示す正面図
【図２】図１のほうきの本体ユニットを示す正面図
【図３】図２のＡ−Ａ断面図
【図４】図１のほうきの型取りユニットを示す正面図
【図５】図４のＢ−Ｂ断面図
【図６】図５のＣ−Ｃ断面図
【図７】図１のほうきの使用方法を説明する図であって、図４に示す型取りユニットにおいて、前面プレートと後面プレートによるピン型ハケの挟持を解除した状態を示す図
【図８】図１のほうきの使用方法を説明する図であって、図４に示す型取りユニットにおいて、掃除場所の形状を転写した状態で、前面プレートと後面プレートによってピン型ハケを挟持した状態を示す図
【発明を実施するための形態】
【００１３】  図１に示すように、本実施例のほうき１は、取手パーツ１０、接続パーツ２０、カバーパーツ３０を備える本体ユニット２と、前面プレート４０、後面プレート５０、複数のピン型ハケ６０を備える型取りユニット３の２つのユニットで構成されている。
【００１４】  図２に示すように、本体ユニット２は、取手パーツ１０、接続パーツ２０、カバーパーツ３０を備える。取手パーツ１０とカバーパーツ３０は、接続パーツ２０を介して互いの角度が自在に変更できるように接続されている。カバーパーツ３０は、内部に型取りユニット３を収容可能な空間を備える。より具体的には、図３に示すように、カバーパーツ３０は、間隔（空間）を開けて向かい合う前板部３１と後板部３２を備える。カバーパーツ３０の幅方向（図２における左右方向）両端部の少なくとも一方（ここでは、図２における左側の端部）は、後述する型取りユニット３を装着（挿入）できるように開放されている。図３に示すように、前板部３１と後板部３２には、それぞれ、ほうき１の幅方向（図２における左右方向）に延びるスライド用溝３３，３４が設けられている。スライド用溝３３，３４の高さ方向（図３における上下方向）の位置は異なっている。ここでは、前板部３１のスライド用溝３３が、後板部３２のスライド用溝３４よりも上方に設けられている。
【００１５】  図４ないし６に示すように、型取りユニット３は、複数のピン型ハケ６０を備え、それら複数のピン型ハケ６０を挟んで対向する２枚のプレート（前面プレート４０、後面プレート５０）を備える。前面プレート４０および後面プレート５０は、それぞれ、板状の前面プレート本体４２および後面プレート本体５２を備える。前面プレート４０と後面プレート５０は、一端部において、後面プレート５０に一体的に設けられた可動軸５５を支点として開閉できるように連結されている（図７参照）。また他端部において、前面プレート４０に設けられた引っ掛け４１によるスナップフィット機構によって前面プレート４０と後面プレート５０を固定できるようになっている。後面プレート５０には、ほうき１の幅方向に延びる板状のピン用レール５１が一体的に設けられている。
【００１６】  ピン型ハケ６０は、上側部分に設けられたピン部６１と、下側部分に設けられたハケ部６２を備える。ピン部６１には、上下方向に延びるレール用孔６３が設けられている。レール用孔６３の上下方向寸法は、ピン用レール５１の上下方向寸法よりも大きくなっている。これにより、ピン型ハケ６０は、レール用孔６３にピン用レール５１を通すことによって、上下方向に移動可能に案内されるようになっている。ここでは、複数のピン型ハケ６０のレール用孔６３にピン用レール５１を通すことによって、複数のピン型ハケ６０を上下方向に案内するレール機構が構成されている。なお、ピン用レール５１の端部に取り付けられた留め具５４によって、ピン用レール５１からのピン型ハケ６０の脱落を防止する。
【００１７】  図４に示すように、前面プレート４０と後面プレート５０の両端が固定された状態（可動軸５５において一端が固定され、引っ掛け４１によって他端が固定された状態）でピン型ハケ６０を挟持する。ここでは、ピン型ハケ６０の幅寸法（図５における左右方向の寸法）に対し前面プレート４０と後面プレート５０間の距離（前面プレート本体４２と後面プレート本体５２の対向する面間の距離）が少し狭くなっている。これによりピン型ハケ６０を上下方向に移動しないように固定することが出来る。言い換えれば、対向する２枚のプレート（前面プレート４０、後面プレート５０）の間隔は、２枚のプレート４０，５０間に挟まれた複数のピン型ハケ６０の当該２枚のプレートの対向方向寸法よりも小さく設定されており、両端が固定された２枚のプレート４０，５０によって、複数のピン型ハケ６０を上下方向に移動不可に保持できる保持機構が構成されている。
【００１８】  ほうき１について、使用方法と合わせて、さらに詳しく説明する。
【００１９】  型取りユニット３は、本体ユニット２との脱離状態において、保持機構による複数のピン型ハケ６０の保持状態を解除または維持可能である。ほうき１では、引っ掛け４１により前面プレート４０と後面プレート５０の他端部を固定することによって、複数のピン型ハケ６０の保持状態を維持できる。そして、図７に示すように、引っ掛け４１による前面プレート４０と後面プレート５０の他端部の固定を解除して、前面プレート４０と後面プレート５０を可動軸５５を支点に回転することによって、複数のピン型ハケ６０の保持状態を解除できる。また、図１に示すように、型取りユニット３の本体ユニット２への装着状態においては、引っ掛け４１による前面プレート４０と後面プレート５０の他端部の固定状態を解除することができないため、保持機構による複数のピン型ハケ６０の保持状態を解除することは不可能である。
【００２０】  型取りユニット３は、本体ユニット２との脱離状態において、保持機構による複数のピン型ハケ６０の保持状態を解除した状態で複数のピン型ハケ６０のハケ部６２下端を掃除場所７０に接触させることで、掃除場所（被掃除面）７０の形状を転写可能である。図８は、型取りユニット３において、掃除場所７０の形状を転写した後、保持機構によってピン型ハケ６０を固定した状態を示している。要するに、ピン型ハケ６０の固定を行わない際は、ピン型ハケ６０（レール用孔６３）に後面プレート５０のピン用レール５１を横から通すことで、ピン型ハケ６０の上下移動を可能にしている。形状転写時は上下移動可能な機構（レール機構）によりピン型ハケ６０を掃除場所の形状に沿わせ、その後、前面プレート４０と後面プレート５０を可動軸５５を中心に回転させてピン型ハケ６０を挟み込み挟持する。
【００２１】  また、型取りユニット３では、図５に示すように、前面プレート４０および後面プレート５０に、それぞれ、前面プレート本体４２の前方および後面プレート５２の後方に突出し、ほうき１の幅方向に延びるスライド用突起４３および５３が設けられている。ここでは、突起４３，５３の高さ方向（図５における上下方向）の位置は異なっており、前面プレート４０の突起４３が、後面プレート５０の突起５３よりも上方に設けられている。そして、ほうき１では、突起４３，５３を、カバーパーツ３０に設けられたスライド用溝３３，３４にそれぞれ対応（進入）させて、図１における左側から型取りユニット３を本体ユニット２と相対的にスライドさせることで、型取りユニット３を本体ユニット２に装着することができる。その際、スライド用溝３３と３４、およびスライド用突起４３と５３の高さ方向位置が異なっていることにより、本体ユニット２と型取りユニット３の間に、型取りユニット３が前後を誤った状態で本体ユニット２に取り付けられることを防止するための誤取付防止機構が構成されている。
【００２２】  レール機構は、上記の構成に限定されない。例えば、前面プレートまたは後面プレートから複数のレール用突起を突出させ、各レール用突起に、各ピン型ハケのレール用孔を通すことにより、複数のピン型ハケのそれぞれを上下方向に案内するレール機構を構成してもよい。
【００２３】  保持機構は、上記の構成に限定されない。例えば、前面プレートや後面プレートのピン型ハケを挟み込む側の面にゴム板等を貼り付けて、その摩擦力や弾性力によって複数のピン型ハケを上下方向に移動不可に保持する保持機構を構成してもよい。
【００２４】  ピン型ハケは、上記の構成に限定されない。例えば、上記の実施例では、１つのピン型ハケに細棒状の１本のハケ部が形成されているが、ハケ部は複数本に分岐していてもよい。
【符号の説明】
【００２５】１    ほうき
２    本体ユニット
１０  取手パーツ
３０  カバーパーツ
３    型取りユニット
４０  前面プレート
４１  引っ掛け
４２  前面プレート本体
５０  後面プレート
５１  ピン用レール
５２  後面プレート本体
５５  可動軸
６０  ピン型ハケ
６１  ピン部
６２  ハケ部
６３  レール用孔
７０  掃除場所（被掃除面）
【要約】      （修正有）【課題】形状を記憶出来る構造により、凹凸や連続した溝など様々な場所を一度で楽に掃くことの出来るほうきを提供する。【解決手段】ほうきは、取手を備える本体ユニットと、複数のピン型ハケ６０を備え本体ユニットに着脱可能な型取りユニット３を備え、型取りユニット３は、複数のピン型ハケ６０を挟んで対向する２枚のプレート４０，５０と、複数のピン型ハケ６０を上下方向に案内するレール機構と、２枚のプレート４０，５０間において複数のピン型ハケ６０を上下方向に移動不可に保持できる保持機構を備える。【選択図】図８【図１】
0006983349.tif 000002
【図２】
0006983349.tif 000003
【図３】
0006983349.tif 000004
【図４】
0006983349.tif 000005
【図５】
0006983349.tif 000006
【図６】
0006983349.tif 000007
【図７】
0006983349.tif 000008
【図８】
0006983349.tif 000009